【手続補正書】
【提出日】平成21年1月9日(2009.1.9)
【手続補正１】
【補正対象書類名】明細書
【補正対象項目名】特許請求の範囲
【補正方法】変更
【補正の内容】
【特許請求の範囲】
【請求項１】  ハロゲンを含有しない、難燃性リン元素含有エポキシ樹脂組成物であって、該エポキシ樹脂組成物が
（Ｉ）  以下の（Ａ）〜（Ｄ）、すなわち：
（Ａ）  非ハロゲン化リン元素含有エポキシ樹脂；
（Ｂ）  以下の（１）（２）、すなわち：
（１）  非ハロゲン化リン元素非含有エポキシ樹脂；および
（２）  リン元素含有芳香族化合物
の混合物；
（Ｃ）  以下の（１）（２）、すなわち：
（１）  非ハロゲン化エポキシ樹脂；および
（２）  リン元素含有芳香族化合物
の反応生成物；または、
（Ｄ）  前記（Ａ）〜（Ｃ）の成分のうちの２つ以上の組み合わせ、
から選択された非ハロゲン化エポキシ樹脂材料と、
（II）  （Ａ）  少なくとも２のヒドロキシ官能価を有する多官能フェノール架橋剤；
（Ｂ）  加熱時に少なくとも２のヒドロキシ官能価を有する多官能フェノール架橋剤を形成する材料；または
（Ｃ）  前記（Ａ）および（Ｂ）の成分の混合物と、
（III）  前記多官能フェノール架橋剤のフェノール／ヒドロキシ基と、前記エポキシ樹脂材料のエポキシ基との反応を促進可能な触媒と
（IV）  ルイス酸阻害剤
とを含むことを特徴とする、難燃性リン元素含有エポキシ樹脂組成物。
【請求項２】  前記多官能フェノール架橋剤が、前記エポキシ樹脂を硬化するのに必要とされる化学量論的量の５０％〜１５０％の量で存在する、請求項１に記載の組成物。
【請求項３】  前記リン元素含有芳香族化合物が、エポキシ、ホスフィン、ヒドロキシ、無水物、アミンまたは酸の官能価から選択された官能価を含有する、請求項１に記載の組成物。
【請求項４】  組成物中の固体に基づく前記非ハロゲン化エポキシ樹脂材料の量が、前記組成物の３０〜９５重量パーセントである、請求項１に記載の組成物。
【請求項５】  前記リン元素含有芳香族化合物が、前記硬化組成物中に０．２重量％〜３．５重量％のリンを提供するのに充分な量で存在する、請求項２に記載の組成物。
【請求項６】  前記触媒が０．１重量％〜３重量％の量で存在する、請求項１に記載の組成物。
【請求項７】  前記ルイス酸阻害剤が、触媒１モル当たり最大４モルの量で存在する、請求項１に記載の組成物。
【請求項８】  前記触媒がアミン触媒化合物である、請求項６に記載の組成物。
【請求項９】  前記触媒が複素環式窒素含有化合物である、請求項８に記載の組成物。
【請求項１０】  前記触媒が、２−フェニルイミダゾール；２−メチルイミダゾール；２−エチル，４−メチルイミダゾールおよびイミダゾールから成る群から選択される、請求項８に記載の組成物。
【請求項１１】  前記ルイス酸阻害剤がホウ素含有化合物である、請求項１に記載の組成物。
【請求項１２】  前記ルイス酸阻害剤が、ホウ酸、メタホウ酸、ボロキシンおよびホウ酸アルキルから成る群から選択される、請求項１１に記載の組成物。
【請求項１３】  前記組成物が（Ｖ）難燃剤を含む、請求項１に記載の組成物。
【請求項１４】  前記難燃剤（Ｖ）が、三水酸化アルミニウム、水酸化マグネシウム、赤リン、カプセル化赤リン、ポリリン酸アンモニウムおよびこれらの混合物である、請求項１３に記載の組成物。
【請求項１５】  前記難燃剤（Ｖ）が、１０重量％未満の量のハロゲン化ビスフェノールＡである、請求項１３に記載の組成物。
【請求項１６】  前記難燃剤（Ｖ）が、テトラブロモビスフェノールＡである、請求項１５に記載の組成物。
【請求項１７】  前記組成物が、
（VI）  充填剤
を含む、請求項１に記載の組成物。
【請求項１８】  前記充填剤（VI）が無機充填剤である、請求項１７に記載の組成物。
【請求項１９】  前記組成物が、
（VII）  前記多官能フェノール架橋剤（II)とは異なる多官能共架橋剤
を含む、請求項１に記載の組成物。
【請求項２０】  前記多官能共架橋剤（VII）が、無水物、少なくとも２のアミン官能価を有する窒素含有架橋剤、およびスチレン無水マレイン酸共重合体から選択される、請求項１９に記載の組成物。
【請求項２１】  前記共架橋剤（VII）が、前記エポキシ樹脂を硬化するのに必要とされる化学量論的量の０％〜４０％の量で存在する、請求項２０に記載の組成物。
【請求項２２】  前記リン元素含有エポキシ樹脂が、リン含有化合物をエポキシド化することにより得られる、請求項１に記載の組成物。
【請求項２３】  前記リン元素含有エポキシ樹脂が、エポキシ樹脂と、該エポキシ樹脂と反応可能なリン元素含有化合物とを反応させることにより得られる、請求項１に記載の組成物。
【請求項２４】  前記エポキシ樹脂（Ｂ）（１）または（Ｃ）（１）が、エポキシ−ポリイソシアネート共重合体である、請求項１に記載の組成物。
【請求項２５】  前記イソシアネートが、ＭＤＩ，ＴＤＩまたはこれらの異性体である、請求項２４に記載の組成物。
【請求項２６】  前記組成物が、
（VIII）  溶剤
を含む、請求項１に記載の組成物。
【請求項２７】  前記組成物が、
（IX）  エポキシ樹脂組成物中のハロゲン含有率が１０重量％未満であるような量のハロゲン化エポキシ樹脂化合物
を含む、請求項１に記載の組成物。
【請求項２８】  前記エポキシ樹脂が、エポキシノボラック、トリス（ヒドロキシフェニル）メタンのエポキシ、クレゾールエポキシノボラック、ジシクロペンタジエン変性エポキシノボラック、テトラフェノールエタンのグリシジルまたはこれらの混合物である、請求項１に記載の組成物。
【請求項２９】  前記リン元素含有芳香族化合物が、９，１０−ジヒドロ−９−オキサ−１０−ホスファフェナントレン−１０−オキシド；１０−（２’，５’−ジヒドロキシフェニル）−９，１０−ジヒドロ−９−オキサ−１０−ホスファフェナントレン−１０−オキシド；ビス（４−ヒドロキシフェニル）ホスフィンオキシド；トリス（２−ヒドロキシフェニル）ホスフィンオキシド；ジメチル−１−ビス（４−ヒドロキシフェニル）−１−フェニルメチルホネート；トリス（２−ヒドロキシ−４／５−メチルフェニル）ホスフィンオキシド；ジメチルホスフィット；ビニルホスホン酸；トリス（４−ヒドロキシフェニル）ホスフィンオキシド、ビス（２−ヒドロキシフェニル）フェニルホスフィンオキシド、ビス（２−ヒドロキシフェニル）フェニルホスフィネート、トリス（２−ヒドロキシ−５−メチルフェニル）ホスフィンオキシド；またはこれらの混合物である、請求項１に記載の組成物。
【請求項３０】  前記多官能フェノール架橋剤が２〜１０官能フェノールノボラックである、請求項１に記載の組成物。
【請求項３１】  前記リン元素含有エポキシ樹脂が、（ｉ）エポキシノボラック、トリス（ヒドロキシフェニル）メタンのエポキシ、ジシクロペンタジエン変性フェノールエポキシノボラック、またはテトラフェノールエタンのグリシジルと、（ii）９，１０−ジヒドロ−９−オキサ−１０−ホスファフェナントレン−１０−オキシドとの反応生成物である、請求項１に記載の組成物。
【請求項３２】  前記リン元素含有エポキシ樹脂が、（ｉ）エポキシノボラック、トリス（ヒドロキシフェニル）メタンのエポキシ、ジシクロペンタジエン変性フェノールエポキシノボラック、テトラフェノールエタンのグリシジル、ビスフェノール−Ａのジグリシジルエーテル、またはビスフェノール−Ｆのジグリシジルエーテルと、（ii）１０−（２’，５’−ジヒドロキシフェニル）−９，１０−ジヒドロ−９−オキサ−１０−ホスファフェナントレン−１０−オキシド、ビス（４−ヒドロキシフェニル）ホスフィンオキシド；トリス（２−ヒドロキシフェニル）ホスフィンオキシド；ジメチル−１−ビス（４−ヒドロキシフェニル）−１−フェニルメチルホネート；トリス（２−ヒドロキシ−４／５−メチルフェニル）ホスフィンオキシド；ジメチルホスフィット；ビニルホスホン酸；トリス（４−ヒドロキシフェニル）ホスフィンオキシド、ビス（２−ヒドロキシフェニル）フェニルホスフィンオキシド、ビス（２−ヒドロキシフェニル）フェニルホスフィネート、トリス（２−ヒドロキシ−５−メチルフェニル）ホスフィンオキシド；またはこれらの混合物から選択されたリン元素含有芳香族化合物との反応生成物である、請求項１に記載の組成物。
【請求項３３】  前記多官能フェノール架橋剤が、フェノールまたはアルキルフェノールおよびホルムアルデヒドから得られるフェノール樹脂；トリス（ヒドロキシフェノール）メタン；ジシクロペンタジエンフェノールノボラック；テトラフェノールエタン；またはこれらの混合物から選択される、請求項１に記載の組成物。
【請求項３４】  前記成分II（Ｂ）がベンゾオキサジンを基剤とする材料である、請求項１に記載の組成物。
【請求項３５】  前記成分II（Ｂ）が、フェノールフタレインのベンゾオキサジン、ビスフェノール−Ａのベンゾオキサジン、ビスフェノール−Ｆのベンゾオキサジン、フェノールノボラックのベンゾオキサジン、およびこれらの混合物から選択される、請求項３４に記載の組成物。
【請求項３６】  ＵＬ９４（垂直テスト）に基づくＶ−Ｏの防火材料分類を提供する、請求項１に記載の組成物。
【請求項３７】  請求項１に記載の組成物から製造された「Ｂ段階」材料。
【請求項３８】  請求項１に記載の組成物から製造された積層板。
【請求項３９】  ハロゲンを含有しない、難燃性リン元素含有エポキシ樹脂組成物を製造する方法であって、該方法が
（Ｉ）  以下の（Ａ）〜（Ｄ）、すなわち：
（Ａ）  非ハロゲン化リン元素含有エポキシ樹脂；
（Ｂ）  以下の（１）（２）、すなわち：
（１）  非ハロゲン化リン元素非含有エポキシ樹脂；および
（２）  リン元素含有芳香族化合物
の混合物；
（Ｃ）  以下の（１）（２）、すなわち：
（１）  非ハロゲン化エポキシ樹脂；および
（２）  リン元素含有芳香族化合物
の反応生成物；または、
（Ｄ）  前記（Ａ）〜（Ｃ）の成分のうちの２つ以上の組み合わせ、
から選択された非ハロゲン化エポキシ樹脂材料と、
（II）  （Ａ）  少なくとも２のヒドロキシ官能価を有する多官能フェノール架橋剤；（Ｂ）  加熱時に少なくとも２のヒドロキシ官能価を有する多官能フェノール架橋剤を形成する材料；または（Ｃ）前記（Ａ）および（Ｂ）の成分の混合物と、
（III）  前記多官能フェノール架橋剤のフェノール／ヒドロキシ基と、前記エポキシ樹脂材料のエポキシ基との反応を促進可能な触媒と
（IV）  ルイス酸阻害剤
とを混合するステップから成ることを特徴とする、難燃性リン元素含有エポキシ樹脂組成物を製造する方法。
【請求項４０】  前記リン元素含有芳香族化合物が、１０−（２’，５’−ジヒドロキシフェニル）−９，１０−ジヒドロ−９−オキサ−１０−ホスファフェナントレン−１０−オキシドである、請求項３９に記載の方法。
【請求項４１】  前記多官能フェノール架橋剤が、前記エポキシ樹脂を硬化するのに必要とされる化学量論的量の５０％〜１５０％の量で存在する、請求項３９に記載の方法。
【請求項４２】  前記リン元素含有芳香族化合物が、エポキシ、ホスフィン、ヒドロキシ、無水物、アミンまたは酸の官能価から選択された官能価を含有する、請求項３９に記載の方法。
【請求項４３】  組成物中の固体に基づく前記非ハロゲン化エポキシ樹脂材料の量が、前記組成物の３０〜９５重量パーセントである、請求項３９に記載の方法。
【請求項４４】  前記リン元素含有芳香族化合物が、前記硬化組成物中に０．２重量％〜３．５重量％のリンを提供するのに充分な量で存在する、請求項３９に記載の方法。
【請求項４５】  前記触媒が０．１重量％〜３重量％の量で存在する、請求項３９に記載の方法。